【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
コンテンツ利用管理単位としてのコンテンツ管理ユニット毎に管理される暗号化処理の施された暗号化コンテンツが記録されているとともに、上記暗号化コンテンツによって使用されるコンテンツ管理ユニットが設定されている情報記録媒体に対応する仮想ファイルシステムが構築されるローカルストレージと、
上記ローカルストレージ上に構築される仮想ファイルシステムを用いて上記暗号化コンテンツによって使用されるコンテンツ管理ユニットにより管理される上記暗号化コンテンツを読み出して再生するとともに、情報配信サーバから配信される上記情報記録媒体の上記暗号化コンテンツに他の情報を連結するためのデータ配信ファイルセットを受信し、受信したデータ配信ファイルセットにより仮想ファイルシステムを更新する再生部を備え、
上記再生部は、上記ローカルストレージ内に予め準備されたファイルセットを交換利用するための固定のタイトルのファイルセットを上記ローカルストレージ内にダウンロードされたファイルセットに置き換えて使用するネームマッピング情報を上記仮想ファイルシステムのネームマッピングメカニズムに与えることにより、上記固定のタイトルを 仮想ファイルシステムを使って複数のファイルセットで使う情報処理装置。
【請求項２】
上記固定のタイトルのファイルセットに置き換えて使用されるファイルセットは、対象タイトルが参照するＢＤ−Ｊオブジェクトファイル又はムービーオブジェクトファイルとして使うことを想定したＢＤ−Ｊオブジェクトファイル又はムービーオブジェクトファイルを含んでいる請求項１記載の情報処理装置。
【請求項３】
上記固定のタイトルのファイルセットに置き換えて使用されるファイルセットは、対象タイトルが参照するＢＤ−Ｊオブジェクトファイルに登録されているＢＤ−Ｊプログラムファイルとして使うことを想定したＪＡＲファイルを含んでいる請求項１記載の情報処理装置。
【請求項４】
上記固定のタイトルのファイルセットに置き換えて使用されるファイルセットは、対象タイトルが参照するＢＤ−Ｊオブジェクトファイルまたはムービーオブジェクトファイルに登録されているプレイリストとして使うことを想定したプレイリストファイルを含んでいる請求項１記載の情報処理装置。
【請求項５】
上記固定のタイトルのファイルセットに置き換えて使用されるファイルセットは、対象タイトルが参照するＢＤ−Ｊオブジェクトファイルまたはムービーオブジェクトファイルに登録されているプレイリストファイルが参照しているクリップ情報ファイルとＡＶストリームファイルとして使うことを想定したクリップ情報ファイルとＡＶストリームファイルを含んでいる請求項１記載の情報処理装置。
【請求項６】
コンテンツ利用管理単位としてのコンテンツ管理ユニット毎に管理される暗号化処理の施された暗号化コンテンツが記録されているとともに、上記暗号化コンテンツによって使用されるコンテンツ管理ユニットが設定されている情報記録媒体に対応する仮想ファイルシステムが構築されるローカルストレージと、上記ローカルストレージ上に構築される仮想ファイルシステムを用いて上記暗号化コンテンツによって使用されるコンテンツ管理ユニットにより管理される上記暗号化コンテンツを読み出して再生するとともに、情報配信サーバから配信される上記情報記録媒体の上記暗号化コンテンツに他の情報を連結するためのデータ配信ファイルセットを受信し、受信したデータ配信ファイルセットにより仮想ファイルシステムを更新する再生部を備える情報処理装置の上記ローカルストレージ内に予め準備されたファイルセットを交換利用するための固定のタイトルのファイルセットを上記ローカルストレージ内にダウンロードされたファイルセットに置き換えて使用するネームマッピング情報を上記仮想ファイルシステムのネームマッピングメカニズムに与えて、上記固定のタイトルを 仮想ファイルシステムを使って複数のファイルセットで使う情報処理装置の制御方法。
【請求項７】
上記固定のタイトルのファイルセットに置き換えて使用されるファイルセットは、対象タイトルが参照するＢＤ−Ｊオブジェクトファイル又はムービーオブジェクトファイルとして使うことを想定したＢＤ−Ｊオブジェクトファイル又はムービーオブジェクトファイルを含んでいる請求項６記載の情報処理装置の制御方法。
【請求項８】
上記固定のタイトルのファイルセットに置き換えて使用されるファイルセットは、対象タイトルが参照するＢＤ−Ｊオブジェクトファイルに登録されているＢＤ−Ｊプログラムファイルとして使うことを想定したＪＡＲファイルを含んでいる請求項６記載の情報処理装置。
【請求項９】
上記固定のタイトルのファイルセットに置き換えて使用されるファイルセットは、対象タイトルが参照するＢＤ−Ｊオブジェクトファイルまたはムービーオブジェクトファイルに登録されているプレイリストとして使うことを想定したプレイリストファイルを含んでいる請求項６記載の情報処理装置の制御方法。
【請求項１０】
上記固定のタイトルのファイルセットに置き換えて使用されるファイルセットは、対象タイトルが参照するＢＤ−Ｊオブジェクトファイルまたはムービーオブジェクトファイルに登録されているプレイリストファイルが参照しているクリップ情報ファイルとＡＶストリームファイルとして使うことを想定したクリップ情報ファイルとＡＶストリームファイルを含んでいる請求項６記載の情報処理装置の制御方法。
【請求項１１】
コンテンツ利用管理単位としてのコンテンツ管理ユニット毎に管理される暗号化処理の施された暗号化コンテンツが記録されているとともに、上記暗号化コンテンツによって使用されるコンテンツ管理ユニットが設定されている情報記録媒体に対応する仮想ファイルシステムが構築されるローカルストレージと、上記ローカルストレージ上に構築される仮想ファイルシステムを用いて上記暗号化コンテンツによって使用されるコンテンツ管理ユニットにより管理される上記暗号化コンテンツを読み出して再生するとともに、情報配信サーバから配信される上記情報記録媒体の上記暗号化コンテンツに他の情報を連結するためのデータ配信ファイルセットを受信し、受信したデータ配信ファイルセットにより仮想ファイルシステムを更新する再生部を備える情報処理装置を制御するコンピュータにより実行される制御プログラムであって、
上記ローカルストレージ内に予め準備されたファイルセットを交換利用するための固定のタイトルのファイルセットを上記ローカルストレージ内にダウンロードされたファイルセットに置き換えて使用するネームマッピング情報を上記仮想ファイルシステムのネームマッピングメカニズムに与えて、上記固定のタイトルを 仮想ファイルシステムを使って複数のファイルセットで使用する制御を行う上記コンピュータにより実行される制御プログラム。
【請求項１２】
上記固定のタイトルのファイルセットに置き換えて使用されるファイルセットは、対象タイトルが参照するＢＤ−Ｊオブジェクトファイル又はムービーオブジェクトファイルとして使うことを想定したＢＤ−Ｊオブジェクトファイル又はムービーオブジェクトファイルを含んでいる請求項１１記載の制御プログラム。
【請求項１３】
上記固定のタイトルのファイルセットに置き換えて使用されるファイルセットは、対象タイトルが参照するＢＤ−Ｊオブジェクトファイルに登録されているＢＤ−Ｊプログラムファイルとして使うことを想定したＪＡＲファイルを含んでいる請求項１１記載の制御プログラム。
【請求項１４】
上記固定のタイトルのファイルセットに置き換えて使用されるファイルセットは、対象タイトルが参照するＢＤ−Ｊオブジェクトファイルまたはムービーオブジェクトファイルに登録されているプレイリストとして使うことを想定したプレイリストファイルを含んでいる請求項１１記載の制御プログラム。
【請求項１５】
上記固定のタイトルのファイルセットに置き換えて使用されるファイルセットは、対象タイトルが参照するＢＤ−Ｊオブジェクトファイルまたはムービーオブジェクトファイルに登録されているプレイリストファイルが参照しているクリップ情報ファイルとＡＶストリームファイルとして使うことを想定したクリップ情報ファイルとＡＶストリームファイルを含んでいる請求項１１記載の制御プログラム。
【手続補正２】
【補正対象書類名】明細書
【補正対象項目名】発明の名称
【補正方法】変更
【補正の内容】
【発明の名称】情報処理装置、その制御方法及び制御プログラム
【手続補正３】
【補正対象書類名】明細書
【補正対象項目名】０００１
【補正方法】変更
【補正の内容】
【０００１】
本発明は、情報処理装置、その制御方法及び制御プログラムに関する。
【手続補正４】
【補正対象書類名】明細書
【補正対象項目名】００４１
【補正方法】削除
【補正の内容】
【手続補正５】
【補正対象書類名】明細書
【補正対象項目名】００４２
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】削除
【補正の内容】
【手続補正８】
【補正対象書類名】明細書
【補正対象項目名】００４５
【補正方法】削除
【補正の内容】